(57)【要約】【課題】販売時の雨又は日避け用のフラップ庇を車両側面に設け、照明装置の装着が可能な程度に構造的強度を有するフラップ庇を備えた移動販売車を提供する。【解決手段】移動販売車の販売窓口である開口部７の車側扉８を開いてフラップ庇とする移動販売車であり、移動販売車の車両構造体に設けた開口部７の両側枠にそれぞれ溶接した補強柱１７，１８と、開口部７の上下枠にそれぞれ溶接した上下補強枠１９，２０と、上補強枠１９に蝶番２１で接続した車側扉８と、補強柱に一端を固定し、他端を車側扉８に固定して車側扉を開く油圧シャフト２２とが設けられ、車側扉８を油圧シャフト２２で押し上げて販売時の雨又は日避け用のフラップ庇とする。【選択図】図４
0003123730.tif 000002
【実用新案登録請求の範囲】
【請求項１】
移動販売車の販売窓口である開口部の車側扉を開いてフラップ庇とする移動販売車において、
前記移動販売車の車両構造体に設けた前記開口部の両側枠にそれぞれ溶接した補強柱と、該開口部の上下枠にそれぞれ溶接した上下補強枠と、前記上補強枠に蝶番で接続した前記車側扉と、前記補強柱に一端を固定し、他端を前記車側扉に固定して該車側扉を開く油圧シャフトとが設けられ、該車側扉を該油圧シャフトで押し上げて販売時の雨又は日避け用のフラップ庇とすることを特徴とする移動販売車。
【請求項２】
前記車側扉の内面側に電気コンセントレールが設けられ、該電気コンセントレールに照明器具及び／又はスピーカを装着したことを特徴とする請求項１に記載の移動販売車。
【請求項３】
前記車側扉の下側端部に設けた係合部材と前記補強柱に設けた係止部材とが互いに係合することによって、該車側扉が前記開口部を閉じることを特徴とする請求項１又は２に記載の移動販売車。
【考案の詳細な説明】
【技術分野】
【０００１】
本考案は、移動販売車の販売窓口である車側面の開口部に設けた車側扉を、雨又は日避け用のフラップ庇とする移動販売車に関する。
【背景技術】
【０００２】
図５は、従来の雨よけを設けた移動販売車１を示し、この移動販売車１は、バン型式の自動車であり、後部車両室内を商品収納部とし、車両側部の開口部４に設けられた顧客用雨よけ２を上方に跳ね上げて開き支持棒５で固定して、陳列した商品が開口部４から見えるようにし、販売員は運転室側に立って販売を行う。また、販売員の上部には販売員用雨避け３が設けられている。顧客用雨よけ２は、支持棒５を取り除くことにより開口部４が閉じられてその外側が車両側面となる。（例えば、特許文献１参照）
【０００３】
【特許文献１】特開平５−３０１５２３号公報（明細書全文，図面全図）
【考案の開示】
【考案が解決しようとする課題】
【０００４】
上記従来の移動販売車は、後部車両室内が商品収納部となっており、後部車両室内に厨房機器を配置してカフェや軽食等が提供可能な移動販売車ではなく、比較的小型の販売車である。しかし、後部車両室内に厨房設備を備える比較的大型の移動販売車では、販売窓口が大きく、顧客用雨よけを車両側壁部に設けることが、車両構造の強度計算上からも困難であり、また、顧客用雨よけを支持棒で支えることも車両側壁に負担が掛かり困難であり、車両側部に顧客用雨よけを設けることは種々の改良が必要であった。また、近年では、顧客の購買意欲を高めるために、商品を照明で照らしたり、営業をし易い環境造りが要求され、顧客用雨よけには、照明装置が装着され、その重量も無視できるものではなく、改良の余地があった。
【０００５】
本考案は、上記のような課題に鑑みなされたものであって、販売時の雨又は日避け用のフラップ庇を車両側面に設け、照明装置の装着が可能な程度に構造的強度を有するフラップ庇を備えた移動販売車を提供することを目的とする。
【課題を解決するための手段】
【０００６】
本考案は、上記課題を達成したものであって、請求項１の考案は、移動販売車の販売窓口である開口部の車側扉を開いてフラップ庇とする移動販売車において、
前記移動販売車の車両構造体に設けた前記開口部の両側枠にそれぞれ溶接した補強柱と、該開口部の上下枠にそれぞれ溶接した上下補強枠と、前記上補強枠に蝶番で接続した前記車側扉と、前記補強柱に一端を固定し、他端を前記車側扉に固定して該車側扉を開く油圧シャフトとが設けられ、該車側扉を該油圧シャフトで押し上げて販売時の雨又は日避け用のフラップ庇とすることを特徴とする移動販売車である。
【０００７】
また、請求項２の考案は、前記車側扉の内面側に電気コンセントレールが設けられ、該電気コンセントレールに照明器具及び／又はスピーカを装着したことを特徴とする請求項１に記載の移動販売車である。
【０００８】
また、請求項３の考案は、前記車側扉の下側端部に設けた係合部材と前記補強柱に設けた係止部材とが互いに係合することによって、該車側扉が前記開口部を閉じることを特徴とする請求項１又は２に記載の移動販売車である。
【考案の効果】
【０００９】
請求項１の考案では、移動販売車の販売窓口である開口部の車側扉を開いてフラップ庇とする移動販売車において、
前記移動販売車の車両構造体に設けた前記開口部の両側枠にそれぞれ溶接した補強柱と、該開口部の上下枠にそれぞれ溶接した上下補強枠と、前記上補強枠に蝶番で接続した前記車側扉と、前記補強柱に一端を固定し、他端を前記車側扉に固定して該車側扉を開く油圧シャフトとが設けられ、該車側扉を該油圧シャフトで押し上げて販売時の雨又は日避け用のフラップ庇とすることを特徴とする移動販売車であるので、車側扉が車両構造体に溶接された両側補強柱と上下補強枠とに設けられ、車側扉を油圧シャフトで押し上げて開くようにしたことによって、車両側面に大きく開口した営業窓口を設けることが可能であり、車側扉を簡単に開いて営業を開始することが可能であり、車側扉はフラップ庇として顧客を雨や日差しから守りながら営業できる利点がある。
【００１０】
また、請求項２の考案では、前記車側扉の内面側に電気コンセントレールが設けられ、該電気コンセントレールに照明器具及び／又はスピーカを装着したことを特徴とする請求項１に記載の移動販売車であるので、車体強度が十分に得られる構造となり、車側扉をフラップ庇とし、その内面側には照明器具等を装着することが可能になり、移動販売車が営業的演出を高めることができる利点がある。即ち、照明器具は商品或いはテーブル等を照らし、スピーカはバックグランドミュージックを流すといった営業的演出を行うことができる利点がある。
【００１１】
また、請求項３の考案では、前記車側扉の下側端部に設けた係合部材と前記補強柱に設けた係止部材とが互いに係合することによって、該車側扉が前記開口部を閉じることを特徴とする請求項１又は２に記載の移動販売車であるので、車側扉を開口部に閉じることによって、係合部材と係止部材とが嵌合して車側扉が走行中に開くといったおそれがない利点がある。
【考案を実施するための最良の形態】
【００１２】
以下、本考案に係る移動販売車の実施の形態について、図面を参照して説明する。先ず、図面について簡単に説明すると、図１（ａ），（ｂ）は本考案に係る移動販売車の一実施形態の概要を示し、同図（ａ）はその上面図であり、同図（ｂ）はその側面図である。図２は本実施形態の後部車両側からの車側扉の概略側面図である。図３は本実施形態の車側扉を省いて図示した側面図と要部断面図である。図４は本実施形態における車側扉を移動販売車のフラップ庇とした概略斜視図である。
【００１３】
本実施形態の移動販売車は、図１（ａ），（ｂ）に示すように、バン型式の自動車を使用し、その車両６の運転室６ａの後部室内６ｂに厨房設備を設け、カフェや軽食等が提供可能な車両であり、車両側壁部６ｃに開口部７が設けられ、この開口部７を販売窓口とし営業時以外は車側扉８で閉じられている。車両後部室内６ｂには運転室６ａの背後の後部室内６ｂに給水・排水設備９が設けられ、後部右側に冷凍冷蔵コールドテーブル１０と作業台１１が並設され、後部左側にレジ１２、スライドカウンター１３が設けられ、冷凍冷蔵コールドテーブル１０には、図示を省略するが、ビールディスペンサー、ソフトサバーが載置され、作業台１１にはアイスクラッシャ、スムージーブレンダー、コーヒーマシーン、エスプレッソコーヒーマシーン、エスプレッソ専用ミル、ノックボックスが載置されている。車両後部室内６ｂには清水タンク１４，汚水タンク１５が備えられている。営業時には、図２に示すように、車側扉８が開かれ、販売窓口からスライドカウンター１３が押し出され、車側扉８の内面側に照明器具１６が装着されており、車側扉８は顧客の雨や日差しから守るためのフラップ庇として利用する。
【００１４】
車側扉８は、図２，図３に示すように、移動販売車の車両構造体に設けた開口部７の両側枠６ｅ，６ｆにそれぞれ溶接した補強柱１７，１８と、開口部８の上下枠６ｇ，６ｈにそれぞれ溶接した上下補強枠１９，２０とを設け、上補強枠１８に蝶番２１で接続されている。側枠６ｅは車両構造体であり、かつ車両構造体である車体の運転室６ａと後部室内６ｂとを仕切る仕切壁６ｄに溶接され、この側枠６ｅに補強柱１７が溶接され、補強柱１８は車両構造体である側枠６ｆに溶接されている。さらに、車両構造体である上枠６ｇに上補強枠１９が溶接されて両補強柱１７，１８に溶接されている。また、下補強枠２０は、車両構造体である下枠６ｈに内側補強枠２０ａと内側補強枠２０ａに溶接された下枠補強枠２０ｂとで構成されている。車側扉８には、補強柱１７，１８に一端を固定し、他端を車側扉８に固定した油圧シャフト２２が設けられ、車側扉８が油圧シャフト２２で押し上げて開かれ、販売時に雨又は日避け用のフラップ庇とする。
【００１５】
また、車側扉８には、図４に示すように、その下側端部の両側に設けた係合部材２３と補強柱１７，１８に設けた係止部材２４とが互いに係合することによって、車側扉８が開口部７を閉じる。車側扉８は、両側に設けられた油圧シャフト２２で押し上げられて開かれ、かなりの重量を要するが簡単に開くことができ、車両側面に大きく開口した営業窓口を設けることが可能であり、車側扉８を簡単に開いて営業を開始することが可能である。また、車側扉８はフラップ庇として顧客を雨や日差しから守りながら営業することができる。
【００１６】
また、車両側壁に設けられた販売窓口は、略車両側壁の大半を開口したものであり、その開口を閉じる車側扉８の重量は、照明器具１６或いはスピーカ等が装着されることもあって、既存の車両側壁が耐えうる構造計算強度を超える重量となる。車両構造体の強度は、開口部７の両側枠に補強柱１７．１８を溶接し、かつ開口部７の上下枠に上下補強枠１９，２０を溶接することによって、車両構造体を補強し、車両側壁に車側扉８が設けられても構造計算上十分な強度を得るようにしている。なお、車両構造体は、通常ボディと称せられる骨格構造であり、車輪やエンジンが装着されるフレームに支持された骨組み構造であり、車両によってはフレーム構造である場合があり、車両構造体はこれらを含むものである。
【００１７】
また、車側扉８はその内面側に突出部８ａが設けられ、車両外側から雨水が車両内に侵入したい防水構造となっている。また、車側扉８の内面側には、車両内の電源に接続された電気コンセントレール２５が設けられ、電気コンセントレール２５に照明器具１６及び／又はスピーカを装着することができる。この照明器具１６により販売窓口を照らすことによって、商品本来の色彩を際立たせて商品のイメージを向上させるなど営業的演出ができる。また、スピーカは、バックグランドミュージックを流すなどして営業的演出を行うことができる。
【００１８】
本実施形態の移動販売車では、販売窓口が横幅３ｍ弱の広い開口を有するものを対象としており、車側扉と地面に支持柱を設けて支えることなく、販売窓口に車側扉によるフラップ庇を設けることができ、雨避けや日避けとして利用できるとともに、照明器具やスピーカーによって、営業的演出ができる効果的なものである。
【産業上の利用可能性】
【００１９】
本考案の活用例としては、販売窓口の上部にフラップ庇を設けた移動販売車として利用することができる。
【図面の簡単な説明】
【００２０】
【図１】図１（ａ），（ｂ）は本考案に係る移動販売車の一実施形態の概要を示し、（ａ）はその上面図であり、（ｂ）はその側面図である。
【図２】本実施形態の後部車両側からの車側扉の概略側面図である。
【図３】本実施形態の車側扉を省いて図示した側面図である。
【図４】本実施形態における車側扉を移動販売車のフラップ庇とした概略斜視図である。
【図５】従来の移動販売車の概要を示す概略側面図である。
【符号の説明】
【００２１】
６  車両
６ａ  運転室
６ｂ  後部室内
６ｃ  車両側壁部
６ｄ  仕切壁
６ｅ，６ｆ  側枠
６ｇ  上枠
６ｈ  下枠
７  開口部
８  車側扉
９  給水・排水設備
１０  冷凍冷蔵コールドテーブル
１１  作業台
１２  レジ
１３  スライドカウンター
１４  清水タンク
１５  汚水タンク
１６  照明器具
１７，１８  補強柱
１９  上補強枠
２０  下補強枠
２０ａ  内側補強枠
２１  蝶番
２２  油圧シャフト
２３  係合部材
２４  係止部材
２５  電気コンセントレール
【図１】
0003123730.tif 000003
【図２】
0003123730.tif 000004
【図３】
0003123730.tif 000005
【図４】
0003123730.tif 000006
【図５】
0003123730.tif 000007